【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
再充電可能なバッテリのＳＯＣ（State Of Charge）を検出する方法であって、
前記バッテリの充放電電流を積算することによりクーロンカウント値ＣＣを生成するステップと、
前記クーロンカウント値ＣＣにもとづいて、生のＳＯＣ値ＳＯＣ＿ｃｃを計算するステップと、
前記バッテリの放電中に、前記生のＳＯＣ値ＳＯＣ＿ｃｃを前記バッテリの電圧降下にもとづいて補正し、放電時ＳＯＣ値ＳＯＣ＿ｄｉｓを生成するステップと、
前記バッテリの放電中に、前記放電時ＳＯＣ値ＳＯＣ＿ｄｉｓが到達した最低値ＳＯＣ＿ｄｉｓ＿ｍｉｎを取得するステップと、
前記バッテリの充電中に、前記最低値ＳＯＣ＿ｄｉｓ＿ｍｉｎを利用して、充電時ＳＯＣ値ＳＯＣ＿ｃｈｇを計算するステップと、
を備えることを特徴とする方法。
【請求項２】
充電開始時の前記充電時ＳＯＣ値ＳＯＣ＿ｃｈｇを、前記最低値ＳＯＣ＿ｄｉｓ＿ｍｉｎと一致させることを特徴とする請求項１に記載の方法。
【請求項３】
前記バッテリの放電中に、前記生のＳＯＣ値ＳＯＣ＿ｃｃが到達した最低値ＳＯＣ＿ｃｃ＿ｍｉｎを取得するステップをさらに備え、
充電中の前記充電時ＳＯＣ値ＳＯＣ＿ｃｈｇは、
ＳＯＣ＿ｃｈｇ＝ＳＯＣ＿ｄｉｓ＿ｍｉｎ＋（ＳＯＣ＿ｃｃ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（１）
にしたがって計算されることを特徴とする請求項１または２に記載の方法。
【請求項４】
充電中の前記バッテリの電圧とＳＯＣの関係を表すＳＯＣ−ＶＢＡＴ特性をあらかじめ規定しておくステップと、
前記バッテリの充電中に、前記バッテリの電圧を取得するステップと、
前記ＳＯＣ−ＶＢＡＴ特性にもとづいて、取得した前記バッテリの電圧に対応するＳＯＣ値ＳＯＣ＿ｅｓｔを取得するステップと、
をさらに備えることを特徴とする請求項１または２に記載の方法。
【請求項５】
前記バッテリの放電中に、前記生のＳＯＣ値ＳＯＣ＿ｃｃが到達した最低値ＳＯＣ＿ｃｃ＿ｍｉｎを取得するステップをさらに備え、
充電中の前記充電時ＳＯＣ値ＳＯＣ＿ｃｈｇは、
ＳＯＣ＿ｃｈｇ＝ＳＯＣ＿ｄｉｓ＿ｍｉｎ＋（ＳＯＣ＿ｅｓｔ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（２）
にしたがって計算されることを特徴とする請求項４に記載の方法。
【請求項６】
再充電可能なバッテリのＳＯＣ（State Of Charge）を検出する方法であって、
前記バッテリの放電中に、放電時ＳＯＣ値ＳＯＣ＿ｄｉｓを生成するステップと、
前記バッテリの放電中に、前記放電時ＳＯＣ値ＳＯＣ＿ｄｉｓが到達した最低値ＳＯＣ＿ｄｉｓ＿ｍｉｎを取得するステップと、
前記バッテリの充電中に、充電時ＳＯＣ値ＳＯＣ＿ｃｈｇを、充電開始時の値が前記最低値ＳＯＣ＿ｄｉｓ＿ｍｉｎと一致するように生成するステップと、
を備えることを特徴とする方法。
【請求項７】
前記放電時ＳＯＣ値ＳＯＣ＿ｄｉｓを生成するステップは、
前記バッテリのＳＯＣとＯＣＶ（Open Circuit Voltage）の対応関係を示すＳＯＣ−ＯＣＶ特性にもとづき、前記生のＳＯＣ値ＳＯＣ＿ｃｃに対応するＯＣＶの値ＯＣＶ１を生成するステップと、
前記バッテリの電圧ＶＢＡＴを検出するステップと、
前記ＯＣＶの値ＯＣＶ１と前記バッテリの電圧ＶＢＡＴの検出値ＶＢＡＴ１との差分ＶＤＲＯＰ１を生成するステップと、
システムの最低動作電圧ＶＢＡＴ＿ＭＩＮより前記差分ＶＤＲＯＰ１に応じた電圧幅ΔＶ、高い値ＯＣＶ２を生成するステップと、
前記ＳＯＣ−ＯＣＶ特性にもとづいて、前記ＯＣＶの値ＯＣＶ２に対応するＳＯＣの値ＳＯＣ２を生成するステップと、
前記ＳＯＣの値ＳＯＣ２が残量ゼロに相当するものとして、前記放電時ＳＯＣ値ＳＯＣ＿ｄｉｓを生成するステップと、
を含むことを特徴とする請求項１から６のいずれかに記載の方法。
【請求項８】
ΔＶ＝ＶＤＲＯＰ１であることを特徴とする請求項７に記載の方法。
【請求項９】
再充電可能なバッテリのＳＯＣ（State Of Charge）を検出する残量検出回路であって、
前記バッテリの充放電電流を積算することによりクーロンカウント値ＣＣを生成するクーロンカウンタ回路と、
前記バッテリの電圧ＶＢＡＴを検出する電圧検出回路と、
前記クーロンカウント値ＣＣにもとづいて、生のＳＯＣ値ＳＯＣ＿ｃｃを計算するＳＯＣ演算部と、
前記バッテリの放電中に、前記生のＳＯＣ値ＳＯＣ＿ｃｃを前記バッテリの電圧降下にもとづいて補正し、放電時ＳＯＣ値ＳＯＣ＿ｄｉｓを生成する放電時補正部と、
前記バッテリの直近の放電中に、前記放電時ＳＯＣ値ＳＯＣ＿ｄｉｓが到達した最低値ＳＯＣ＿ｄｉｓ＿ｍｉｎを測定し、前記バッテリの充電中に、前記最低値ＳＯＣ＿ｄｉｓ＿ｍｉｎを利用して、充電時ＳＯＣ値ＳＯＣ＿ｃｈｇを計算する充電時補正部と、
を備えることを特徴とする残量検出回路。
【請求項１０】
充電開始時の前記充電時ＳＯＣ値ＳＯＣ＿ｃｈｇが、前記最低値ＳＯＣ＿ｄｉｓ＿ｍｉｎと一致していることを特徴とする請求項９に記載の残量検出回路。
【請求項１１】
前記充電時補正部は、
前記バッテリの放電中に前記生のＳＯＣ値ＳＯＣ＿ｃｃが到達した最低値ＳＯＣ＿ｃｃ＿ｍｉｎをさらに測定し、
充電中の前記充電時ＳＯＣ値ＳＯＣ＿ｃｈｇを、
ＳＯＣ＿ｃｈｇ＝ＳＯＣ＿ｄｉｓ＿ｍｉｎ＋（ＳＯＣ＿ｃｃ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（１）
にしたがって計算することを特徴とする請求項９または１０に記載の残量検出回路。
【請求項１２】
充電中における前記バッテリの電圧ＶＢＡＴとＳＯＣの関係を表すＳＯＣ−ＶＢＡＴ特性を保持する充電特性保持部をさらに備え、
前記充電時補正部は、前記ＳＯＣ−ＶＢＡＴ特性にもとづいて、前記電圧検出回路が検出した前記バッテリの電圧に対応するＳＯＣの値ＳＯＣ＿ｅｓｔを取得することを特徴とする請求項９または１０に記載の残量検出回路。
【請求項１３】
前記充電時補正部は、充電中の前記充電時ＳＯＣ値ＳＯＣ＿ｃｈｇを、
ＳＯＣ＿ｃｈｇ＝ＳＯＣ＿ｄｉｓ＿ｍｉｎ＋（ＳＯＣ＿ｅｓｔ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（２）
にしたがって計算することを特徴とする請求項１２に記載の残量検出回路。
【請求項１４】
再充電可能なバッテリのＳＯＣ（State Of Charge）を検出する残量検出回路であって、
前記バッテリの充放電電流を積算することによりクーロンカウント値ＣＣを生成するクーロンカウンタ回路と、
前記バッテリの電圧ＶＢＡＴを検出する電圧検出回路と、
前記クーロンカウント値ＣＣにもとづいて、生のＳＯＣ値ＳＯＣ＿ｃｃを計算するＳＯＣ演算部と、
前記バッテリの放電中に、前記生のＳＯＣ値ＳＯＣ＿ｃｃを前記バッテリの電圧降下にもとづいて補正し、放電時ＳＯＣ値ＳＯＣ＿ｄｉｓを生成する放電時補正部と、
前記バッテリの直近の放電中に、前記放電時ＳＯＣ値ＳＯＣ＿ｄｉｓが到達した最低値ＳＯＣ＿ｄｉｓ＿ｍｉｎを測定し、前記バッテリの充電中に、充電時ＳＯＣ値ＳＯＣ＿ｃｈｇを、充電開始時の値が前記最低値ＳＯＣ＿ｄｉｓ＿ｍｉｎとなるように計算する充電時補正部と、
を備えることを特徴とする残量検出回路。
【請求項１５】
前記放電時補正部は、
前記バッテリのＳＯＣとＯＣＶ（Open Circuit Voltage）の対応関係を示すＳＯＣ−ＯＣＶ特性にもとづき、前記生のＳＯＣ値ＳＯＣ＿ｃｃに対応するＯＣＶの値ＯＣＶ１を生成するステップと、
前記値ＯＣＶ１と前記電圧検出回路が検出した前記バッテリの電圧の検出値ＶＢＡＴ１との差分ＶＤＲＯＰ１を生成するステップと、
システムの最低動作電圧ＶＢＡＴ＿ＭＩＮより前記差分ＶＤＲＯＰ１に応じた電圧幅ΔＶ、高い値ＯＣＶ２を生成するステップと、
前記ＳＯＣ−ＯＣＶ特性にもとづいて、前記値ＯＣＶ２に対応するＳＯＣの値ＳＯＣ２を生成するステップと、
前記ＳＯＣの値ＳＯＣ２が残量ゼロに相当するものとして、前記放電時ＳＯＣ値ＳＯＣ＿ｄｉｓを生成するステップと、
を実行することを特徴とする請求項９から１４のいずれかに記載の残量検出回路。
【請求項１６】
ΔＶ＝ＶＤＲＯＰ１であることを特徴とする請求項１５に記載の残量検出回路。
【請求項１７】
再充電可能なバッテリと、
前記バッテリのＳＯＣを検出する請求項９から１６のいずれかに記載の残量検出回路と、
を備えることを特徴とする電子機器。
【請求項１８】
再充電可能なバッテリと、
前記バッテリのＳＯＣを検出する請求項９から１６のいずれかに記載の残量検出回路と、
を備えることを特徴とする自動車。
【手続補正２】
【補正対象書類名】明細書
【補正対象項目名】００２６
【補正方法】変更
【補正の内容】
【００２６】
この方法は、バッテリの放電中に、生のＳＯＣ値ＳＯＣ＿ｃｃが到達した最低値ＳＯＣ＿ｃｃ＿ｍｉｎを取得するステップをさらに備えてもよい。充電中の充電時ＳＯＣ値ＳＯＣ＿ｃｈｇは、
ＳＯＣ＿ｃｈｇ＝ＳＯＣ＿ｄｉｓ＿ｍｉｎ＋（ＳＯＣ＿ｃｃ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（１）
にしたがって計算されてもよい。これにより、充電中の充電時ＳＯＣ値ＳＯＣ＿ｃｈｇを、ＳＯＣ＿ｄｉｓ＿ｍｉｎから１００％に向かって、連続的に増加させることができる。
【手続補正３】
【補正対象書類名】明細書
【補正対象項目名】００２８
【補正方法】変更
【補正の内容】
【００２８】
充電中の充電時ＳＯＣ値ＳＯＣ＿ｃｈｇは、
ＳＯＣ＿ｃｈｇ＝ＳＯＣ＿ｄｉｓ＿ｍｉｎ＋（ＳＯＣ＿ｅｓｔ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（２）
にしたがって計算されてもよい。
これにより、充電中の充電時ＳＯＣ値ＳＯＣ＿ｃｈｇを、ＳＯＣ＿ｄｉｓ＿ｍｉｎから１００％に向かって、連続的に増加させることができる。
【手続補正４】
【補正対象書類名】明細書
【補正対象項目名】００３５
【補正方法】変更
【補正の内容】
【００３５】
充電時補正部は、充電中の充電時ＳＯＣ値ＳＯＣ＿ｃｈｇを、
ＳＯＣ＿ｃｈｇ＝ＳＯＣ＿ｄｉｓ＿ｍｉｎ＋（ＳＯＣ＿ｅｓｔ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（２）
にしたがって計算してもよい。
【手続補正５】
【補正対象書類名】明細書
【補正対象項目名】００６５
【補正方法】変更
【補正の内容】
【００６５】
たとえば充電時補正部２３０は、直前の放電サイクル（期間ｔ０〜ｔ１）において、最低値ＳＯＣ＿ｄｉｓ＿ｍｉｎに加えて、ＳＯＣ＿ｃｃが到達した最低値ＳＯＣ＿ｃｃ＿ｍｉｎを測定する。そして充電時補正部２３０は、充電中の充電時ＳＯＣ値ＳＯＣ＿ｃｈｇを、式（１）にしたがって計算する。
ＳＯＣ＿ｃｈｇ＝ＳＯＣ＿ｄｉｓ＿ｍｉｎ＋（ＳＯＣ＿ｃｃ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（１）
【手続補正６】
【補正対象書類名】明細書
【補正対象項目名】００７２
【補正方法】変更
【補正の内容】
【００７２】
充電時補正部２３０Ａは、ＳＯＣ＿ｃｃに代えてＳＯＣ＿ｅｓｔを利用して、式（２）にしたがいＳＯＣ＿ｃｈｇを生成する。
ＳＯＣ＿ｃｈｇ＝ＳＯＣ＿ｄｉｓ＿ｍｉｎ＋（ＳＯＣ＿ｅｓｔ−ＳＯＣ＿ｃｃ＿ｍｉｎ）×（１００−ＳＯＣ＿ｄｉｓ＿ｍｉｎ）／（１００−ＳＯＣ＿ｃｃ＿ｍｉｎ）  …（２）